(57)【特許請求の範囲】
【請求項１】
天井に沿って互いに間隔を隔てて略平行に固定される１対の天固定部材（３）と、前記１対の天固定部材（３）の一方の天固定部材（３）と他方の天固定部材（３）との間を架設し、エアコン室外機（２）が載置される架設部（５、７）とを有する、エアコン室外機を天井に吊下げるためのエアコン室外機の天井吊下げ用架台であって、
前記架設部（５、７）は、
前記１対の天固定部材（３）のうちの一方の天固定部材（３）に連結されて下方に向かって延びる第１吊具（５）と、
前記１対の天固定部材（３）のうちの他方の天固定部材（３）に連結されて下方に向かって延びる第２吊具（５）と、
前記第１吊具（５）に一端部が連結され、前記第２吊具（５）に他端部が連結されて、前記第１吊具（５）と前記第２吊具（５）との間を架設するベース（７）と
を備え、
前記第１吊具（５）は、前記ベース（７）の前記一端部を下方から支持する受部（５ｂ）を有し、
前記ベース（７）の前記一端部は前記第１吊具（５）の前記受部（５ｂ）によって受けられて、前記ベース（７）は前記一端部を軸として前記ベース（７）が少なくとも前記第１吊具（５）の延びる方向にまで回動可能に連結され、
前記第２吊具（５）は、前記ベース（７）の前記他端部を下方から支持する受部（５ｂ）を有し、
前記ベース（７）の前記他端部は前記第２吊具（５）の前記受部（５ｂ）によって受けられて、前記ベース（７）は前記他端部を軸として前記ベース（７）が少なくとも前記第２吊具（５）の延びる方向にまで回動可能に連結された、エアコン室外機の天井吊下げ用架台。
【請求項２】
前記第１吊具（５）の前記受部（５ｂ）および前記ベース（７）の前記一端部には、前記一端部が前記受部（５ｂ）から抜けるのを防止するための抜け防止部（５ｂ、７ｄ）が設けられた、請求項１記載のエアコン室外機の天井吊下げ用架台。
【請求項３】
前記抜け防止部（５ｂ、７ｄ）は、
前記受部（５ｂ）および前記一端部のいずれか一方に設けられた凸部（５ｂ）と、
前記受部（５ｂ）および前記一端部の他方に設けられ、前記凸部（５ｂ）と嵌合する凹部（７ｄ）と
を含む、請求項２記載のエアコン室外機の天井吊下げ用架台。
【請求項４】
前記ベース（７）は、
ベース本体（７ａ）と、
前記ベース（７）の前記一端部に前記ベース本体（７ａ）と隔てて設けられ、前記第１吊具（５）の前記受部（５ｂ）に受けられる被受部（７ｂ）と、
前記被受部（７ｂ）と前記ベース本体（７ａ）とを繋ぐ接続部（７ｃ）と、
前記被受部（７ｂ）、前記接続部（７ｃ）および前記ベース本体（７ａ）によって囲まれる開口部（７ｄ）と
を有し、
前記凸部（５ｂ）は前記第１吊具（５）の前記受部（５ｂ）であり、前記凹部（７ｄ）は前記開口部（７ｄ）である、請求項３記載のエアコン室外機の天井吊下げ用架台。
【請求項５】
前記第１吊具（５）の前記受部（５ｂ）が形成されている部分には、前記ベース（７）の回動に際し、前記ベース（７）の前記接続部（７ｃ）が前記第１吊具（５）の部分に接触しないようして前記ベース（７）の少なくとも前記第１吊具（５）の延びる方向までの回動を可能とする隙間（５ｅ）が設けられた、請求項１〜４のいずれかに記載のエアコン室外機の天井吊下げ用架台。
【請求項６】
前記ベース（７）の前記一端部と前記第１吊具（５）とを連結する部分と、前記ベース（７）の前記他端部と前記第２吊具（５）とを連結する部分とをそれぞれ補強するための補強部材（１３）を備えた、請求項１〜５のいずれかに記載のエアコン室外機の天井吊下げ用架台。
【発明の詳細な説明】
【０００１】
【発明の属する技術分野】
本発明はエアコン室外機の天井吊下げ用架台に関し、特に、エアコン室外機の据付作業において組立てが容易に行なわれるエアコン室外機の天井吊下げ用架台に関するものである。
【０００２】
【従来の技術】
エアコン室外機の据付具の一例として、天井からエアコン室外機を吊下げる天井吊下げ用架台がある。そのような従来の天井吊下げ用架台について説明する。図１４に示すように、従来の天井吊下げ用架台１０１は、天井に沿って取付けられる１対の天固定板１０３と、１対の天固定板１０３のそれぞれの両端部に連結されて下方に延びる４本の吊金具１０５と、１対の天固定板１０３の一方側に位置する端部にそれぞれ連結された２本の吊金具１０５の下端部間および他方の端部にそれぞれ連結された２本の吊金具１０５の下端部間をそれぞれ架設する２本のベース１０７とを備えている。
【０００３】
エアコン室外機（図示せず）は、この２本のベース１０７を跨ぐようにベース１０７上に載置される。そのベース１０７にはエアコン室外機の振動を吸収するための防振部材１０９が所定の位置に装着される。また、各吊金具１０５とベース１０７とはボルト１１８を介して回動可能に連結されている。
【０００４】
図１５に示すように、天固定板１０３には、斜め上に向かって延びる所定の側部１０３ａが設けられている。一方、吊金具１０５の上端には、吊金具１０５の自重によってその側部１０３ａを受入れて吊金具１０５を留めるための切れ込み部１０５ａが設けられている。
【０００５】
吊金具１０５の自重によって天固定板１０３の側部１０３ａが吊金具１０５の切れ込み部１０５ａに嵌ることによって、各吊金具１０５が天固定板１０３に仮留めされ、さらに、各吊金具１０５が天固定板１０３にボルト（図示せず）等によって固定される。
【０００６】
【発明が解決しようとする課題】
しかしながら、従来の天井吊下げ用架台では、次のような問題点があった。エアコン室外機をベース１０７上に載置する際には、まず、図１４に示す奥に位置する２本の吊金具１０５を１対の天固定板１０３のそれぞれにボルトにより固定し、さらに手前に位置する２本の吊金具１０５のうちの一方の吊金具１０５を天固定板１０３に固定した状態とする。その状態で、エアコン室外機（図示せず）の一端側を奥に位置するベース１０７に載置し、エアコン室外機の他端側を一方の手で支持した状態で、他方の手で仮留めされていない方の吊金具１０５を天固定板１０３に仮留めする。
【０００７】
つまり、天井に沿って固定されて比較的高い位置にある天固定板１０３に対して、一方の手でエアコン室外機の他端側を支持した状態で、他方の手でその天固定板１０３の側部１０３ａに吊金具１０５の上端部に設けられた切れ込み部１０５ａが嵌るように吊金具１０５を取扱う必要があった。そのため、吊金具１０５の天固定板１０３への取付け作業の効率が悪いという問題があった。
【０００８】
本発明は上記問題点を解決するためになされたものであり、その目的はエアコン室外機の据付け作業において組立てを効率的に行なうことのできる天井吊下げ用架台を提供することである。
【０００９】
【課題を解決するための手段】
請求項１に記載のエアコン室外機の天井吊下げ用架台は、天井に沿って互いに間隔を隔てて略平行に固定される１対の天固定部材と、１対の天固定部材の一方の天固定部材と他方の天固定部材との間を架設し、エアコン室外機が載置される架設部とを有する、エアコン室外機を天井に吊下げるためのエアコン室外機の天井吊下げ用架台である。その架設部は、第１吊具と第２吊具とベースとを備えている。第１吊具は、１対の天固定部材のうちの一方の天固定部材に連結されて下方に向かって延びる。第２吊具は、１対の天固定部材のうちの他方の天固定部材に連結されて下方に向かって延びる。ベースは、第１吊具に一端部が連結され、第２吊具に他端部が連結されて、第１吊具と第２吊具との間を架設する。その第１吊具は、ベースの一端部を下方から支持する受部を有している。ベースの一端部は第１吊具の受部によって受けられて、ベースは一端部を軸としてベースが少なくとも第１吊具の延びる方向にまで回動可能に連結されている。第２吊具は、ベースの他端部を下方から支持する受部を有している。ベースの他端部は第２吊具の受部によって受けられて、ベースは他端部を軸としてベースが少なくとも第２吊具の延びる方向にまで回動可能に連結されている。
【００１０】
請求項１に記載のエアコン室外機の天井吊下げ用架台によれば、ベースが他端部を軸として第２吊具の延びる方向に連結された状態でエアコン室外機を一方の手で支持し、そして、他方の手でそのベースの一端部を天固定部材に連結された第１吊具の受部に受けさせることで、エアコン室外機がベース上に載置される。これにより、エアコン室外機を支持する動作とベースの一端部を第１吊具の受部に受けさせる動作とを手元で行なうことができ、エアコン室外機の据付け作業において組立てをより効率的に行なうことができる。また、一方、第１吊具とベースの一端部とを回動可能に連結しておき、そして、そのベースの他端部を第２吊具の受部に受けさせることで、ベースのいずれの端部においても第１吊具または第２吊具との連結作業を行なうことができる。
【００１１】
請求項２に記載のエアコン室外機の天井吊下げ用架台では、第１吊具の受部およびベースの一端部には、一端部が受部から抜けるのを防止するための抜け防止部が設けられている。
【００１２】
請求項２に記載のエアコン室外機の天井吊下げ用架台によれば、抜け防止部によって、エアコン室外機の据付け作業中にベースの一端部が第１吊具の受部から抜けてエアコン室外機が落下するのを防止して安全に据付け作業を行なうことができる。
【００１３】
そのような抜け防止部として、請求項３に記載のエアコン室外機の天井吊下げ用架台では、抜け防止部は、受部および一端部のいずれか一方に設けられた凸部と、受部および一端部の他方に設けられその凸部と嵌合する凹部とを含んでいる。
【００１４】
請求項３に記載されたエアコン室外機の天井吊下げ用架台によれば、凸部が凹部に嵌合することで容易に抜けを防止することができる。
【００１５】
請求項４に記載のエアコン室外機の天井吊下げ用架台では、ベースは、ベース本体と被受部と接続部と開口部とを有している。被受部はベースの一端部にベース本体と隔てて設けられ、第１吊具の受部に受けられる。接続部は、その被受部とベース本体とを繋いでいる。開口部は、被受部、接続部およびベース本体によって囲まれている。上述した凸部は第１吊具の受部であり、凹部は開口部である。
【００１６】
請求項４に記載されたエアコン室外機の天井吊下げ用架台によれば、ベースの被受部が第１吊具の受部に受けられるとともにその受部がベースの開口部に嵌合することで、ベースと第１吊具の連結を確実に行なうことができる。
【００１７】
請求項５に記載のエアコン室外機の天井吊下げ用架台では、第１吊具の受部が形成されている部分には、ベースの回動に際し、ベースの接続部が第１吊具の部分に接触しないようにしてベースの少なくとも第１吊具の延びる方向までの回動を可能とする隙間が設けられている。
【００１８】
請求項５に記載されたエアコン室外機の天井吊下げ用架台によれば、第１吊具に対してベースが回動可能に連結されることになる。
【００２１】
請求項６に記載のエアコン室外機の天井吊下げ用架台では、ベースの一端部と第１吊具とを連結する部分と、ベースの他端部と第２吊具とを連結する部分とをそれぞれ補強するための補強部材を備えている。
【００２２】
請求項６に記載されたエアコン室外機の天井吊下げ用架台によれば、１対の天固定部材のピッチを変えた場合にも、補強部材により吊具とベースとが連結された部分を補強することができる。
【００２３】
【発明の実施の形態】
本発明の実施の形態に係るエアコン室外機の天井吊下げ用架台について説明する。図１に示すように、天井吊下げ用架台１は、天井に沿って取付けられる１対の天固定板３と、１対の天固定板３のそれぞれの両端部に連結されて下方に延びる４本の吊金具５と、１対の天固定板３の一方側に位置する端部にそれぞれ連結された２本の吊金具５の下端部間および他方の端部にそれぞれ連結された２本の吊金具５の下端部間をそれぞれ架設する２本のベース７とを備えている。
【００２４】
エアコン室外機は、この２本のベース７を跨ぐようにベース７上に載置されることになる。（図１２参照）そのベース７には、エアコン室外機の振動を吸収するための防振部材９が所定の位置に装着される。
【００２５】
天固定板３の両端部には、図１に示すように、所定の係合受部３ａが形成されて吊金具５を保持する領域Ａがそれぞれ設けられている。また、天固定板３の中央部には、係合受部３ａが形成されていない領域Ｂが吊金具５の装着を行なうための領域として設けられている。
【００２６】
図２に示すように、吊金具５の上端部には、天固定板３を挟み込んで受入れる所定の外壁部５ｃと内壁部５ｄとが設けられている。特に、内壁部５ｄには、天固定板３に設けられた係合受部３ａによって受けられる係合凸部５ａが設けられている。
【００２７】
一方、吊金具５の下端部には、ベース７の端を下方から支持する受部５ｂが設けられている。また、その下端部には、受部５ｂにベース７の端部が受けられた状態で、吊金具５が延びる方向と実質的に同じ方向にベース７がなるまでベース７の部材を吊金具５の部材に接触させないようにしてベース７の回動を可能にするための隙間５ｅが設けられている。
【００２８】
図３に示すように、ベース７は、ベース本体７ａ、そのベース本体の端に設けられた端部７ｂ、端部７ｂとベース本体７ａとを繋ぐ接続部７ｃおよび所定の角穴７ｄを有している。端部７ｂが吊金具５の受部５ｂに受けられる。そして、後述するように、吊金具５の受部５ｂの先端部分が角穴７ｄに挿入される。ベース７の他端側（図示せず）にも同様の端部が形成されている。
【００２９】
次に、上述したエアコン室外機の天井吊下げ用架台の組立てを含めたエアコン室外機の据付け作業について説明する。
【００３０】
まず、図４に示すように、天井に沿って固定される天固定板３に対して、１対の天固定板３の間の位置から矢印Ｙ１に示す方向に向かって斜め上方に吊金具５を装着して、外壁部５ｃと内壁部５ｄとで天固定板３を挟み込む。次に、吊金具５を矢印Ｙ２に示す方向に回動する。吊金具５の自重によって、吊金具５が天固定板３に仮留めされる。
【００３１】
次に、図４〜図６に示すように、吊金具５を矢印Ｙ３に示すように、天固定板３の端部に向かってスライドさせて、係合受部３ａが形成されている領域Ａに配置する。そして、たとえばボルト１９等によって吊金具５を天固定板３に固定する。
【００３２】
次に、図７および図８に示すように、吊金具５の下端部に設けられた受部５ｂ上に、矢印Ｙ４に示すようにベース７の一端側に設けられた端部７ｂを載せる。このとき、受部５ｂの先端部分を端部７ｂに設けられた角穴７ｄに挿通することで、ベース７が抜け落ちるのを防止することができる。
【００３３】
さらに、ボルト２１およびナット２３を装着することで、吊金具５とベース７とが外れないように回動可能に連結される。特に、吊金具５の下端部には、ベース７が吊金具５が延びる方向にまでベース７の部材が接触しないように所定の隙間５ｅが形成されていることで、図９に示すように、ベース７の一端側を吊金具５に連結した段階でベース７は、吊金具５の下端から下方に向かって延びた状態となる。
【００３４】
ベース７の他端側についても同様に、その端部７ｂを受部５ｂ上に載せることによって、ベース７は２本の吊金具５の間を架設することになる。このようにして、図１０に示すように、向かって右側に位置するベース７の一端側を残して他端側を吊金具５に連結してベース７が下方に向かって延びた状態とする。
【００３５】
この状態で、そのベース７の一端側が連結されることになる吊金具５と他端側がすでに連結された吊金具５との間からエアコン室外機２を入れて、向かって左側に位置するベース７上にエアコン室外機２の一端側を載せる。そして、図１１に示すように、エアコン室外機の他端側を一方の手１１ａで支えながら、他方の手１１ｂでベース７を掴んでその端部７ｂを吊金具の受部５ｂに載せる。
【００３６】
さらに、ボルト２１およびナット２３を用いて、吊金具５とベース７とが外れないように連結する。このようにして、図１２に示すように、天井吊下げ用架台の組立てを含むエアコン室外機２の据付け作業が完了する。
【００３７】
本天井吊下げ用架台１では、上述したように、ベース７の一端側が吊金具５の延びる方向に回動可能に連結された状態でエアコン室外機２を一方の手で支持し、そして、他方の手でそのベース７の他端側をもう１本の吊金具５の受部５ｂに受けさせることで、エアコン室外機２がベース７上に載置される。
【００３８】
これにより、エアコン室外機２を支持する動作とベース７の端部を吊金具５の受部５ｂに受けさせる動作とを手元で行なうことができ、エアコン室外機２の据付け作業において組立てをより効率的に行なうことが可能になる。
【００３９】
また、ベース７に設けられた角穴７ｄに吊金具５の受部５ｂの先端部分が挿通されることで、ベース７の端部７ｂを吊金具５の受部５ｂ上に載せた状態でベース７が吊金具５から抜けるのを防止することができる。なお、抜け防止としては、これに限られず、ベース７および吊金具５の一方が他方に嵌合する凸部と凹部とを設けてもよい。
【００４０】
さらに、吊金具５の下端部に所定の隙間５ｅが形成されていることで、ベース７は吊金具５が延びる方向にまで回動することができる。これによって、エアコン室外機２を据付ける際に、ベース７の一端側が連結されることになる吊金具５と他端側がすでに連結された吊金具５との間からエアコン室外機２を入れて、すでに両側がそれぞれ吊金具５に連結されたもう１本のベース７上にエアコン室外機２の一端側を容易に載せることができる。
【００４１】
なお、上述した本天井吊下げ用架台では、図１に示すように、１対の天固定板３のピッチＬを変えることができる。これに対してベース７の寸法は変わらないため、図１３に示すように、ピッチＬの変動によって吊金具５は、吊金具５とベース７との連結部分を支点として角度θの範囲内を回動することになる。このとき、吊金具５とベース７との連結部分に所定の補強金具１３を設けておくことが望ましい。
【００４２】
この補強金具１３では、補強金具１３とベース７とを取付ける取付部分１７において補強金具１３に長穴１３ａが設けられている。これにより、吊金具５が回動して吊金具５と補強金具１３とを取付けている取付部分１５が動いた際に、取付部分１７が長穴１３ａに沿って移動して、連結部分を補強することができる。
【００４３】
さらに、許容角度を越えた吊金具５の移動（回動）に対しては、取付部分１７が長穴１３ａに沿って移動することができないので、吊金具５とベース７とが連結されているコーナの角度を保って連結部分を補強することができる。
【００４４】
また、本天井吊下げ用架台では金属からなる吊金具を適用した場合について説明したが、エアコン室外機を吊下げておくことができ、耐久性のあるものであれば金属に限られない。
【００４５】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【００４６】
【発明の効果】
請求項１に記載のエアコン室外機の天井吊下げ用架台によれば、ベースが他端部を軸として第２吊具の延びる方向に連結された状態でエアコン室外機を一方の手で支持し、そして、他方の手でそのベースの一端部を天固定部材に連結された第１吊具の受部に受けさせることで、エアコン室外機がベース上に載置される。これにより、エアコン室外機を支持する動作とベースの一端部を第１吊具の受部に受けさせる動作とを手元で行なうことができ、エアコン室外機の据付け作業において組立てをより効率的に行なうことができる。また、一方、第１吊具とベースの一端部とを回動可能に連結しておき、そして、そのベースの他端部を第２吊具の受部に受けさせることで、ベースのいずれの端部においても第１吊具または第２吊具との連結作業を行なうことができる。
【００４７】
請求項２に記載のエアコン室外機の天井吊下げ用架台によれば、抜け防止部によって、エアコン室外機の据付け作業中にベースの一端部が第１吊具の受部から抜けてエアコン室外機が落下するのを防止して安全に据付け作業を行なうことができる。
【００４８】
請求項３に記載されたエアコン室外機の天井吊下げ用架台によれば、凸部が凹部に嵌合することで容易に抜けを防止することができる。
【００４９】
請求項４に記載されたエアコン室外機の天井吊下げ用架台によれば、ベースの被受部が第１吊具の受部に受けられるとともにその受部がベースの開口部に嵌合することで、ベースと第１吊具の連結を確実に行なうことができる。
【００５０】
請求項５に記載されたエアコン室外機の天井吊下げ用架台によれば、第１吊具に対してベースが回動可能に連結されることになる。
【００５２】
請求項６に記載されたエアコン室外機の天井吊下げ用架台によれば、１対の天固定部材のピッチを変えた場合にも、補強部材により吊具とベースとが連結された部分を補強することができる。
【図面の簡単な説明】
【図１】  本発明の実施の形態に係る本天井吊下げ用架台の斜視図である。
【図２】  同実施の形態において、図１に示す天井吊下げ用架台の吊金具を示す斜視図である。
【図３】  同実施の形態において、図１に示す天井吊下げ用架台のベースを示す部分斜視図である。
【図４】  同実施の形態において、図１に示す天井吊下げ用架台の組立て方法を示す部分斜視図である。
【図５】  同実施の形態において、天井吊下げ用架台の組立て方法の一工程における吊金具と天固定板とを示す斜視図である。
【図６】  同実施の形態において、図５に示す工程における側面図である。
【図７】  同実施の形態において、図５に示す工程の後に行なわれる工程における吊金具とベースとを示す斜視図である。
【図８】  同実施の形態において、図７に示す工程における吊金具とベースとの連結を示す第１の側面図である。
【図９】  同実施の形態において、図７に示す工程における吊金具とベースとの連結を示す第２の側面図である。
【図１０】  同実施の形態において、図７に示す工程の後に行なわれる工程を示す斜視図である。
【図１１】  同実施の形態において、図１０に示す工程の後に行なわれる工程を示す斜視図である。
【図１２】  同実施の形態において、エアコン室外機の据付け作業が完了した状態を示す斜視図である。
【図１３】  吊金具とベースとの連結部分を補強するための補強金具を示す部分側面図である。
【図１４】  従来の天井吊下げ用架台を示す斜視図である。
【図１５】  従来の天井吊下げ用架台における天固定板と吊金具の取付け部分を示す部分断面図である。
【符号の説明】
１  天井吊下げ用架台、２  エアコン室外機、３  天固定板、３ａ  係合受部、５  吊金具、５ｂ  受部、５ｃ  外壁部、５ｄ  内壁部、７  ベース、７ａ  ベース本体、７ｂ  端部、７ｃ  接続部、７ｄ  角穴、９  防振部材、１１ａ  一方の手、１１ｂ  他方の手、１３  補強金具、１９、２１  ボルト、２３  ナット。
【図１】
0003769502.tif 000002
【図２】
0003769502.tif 000003
【図３】
0003769502.tif 000004
【図４】
0003769502.tif 000005
【図５】
0003769502.tif 000006
【図６】
0003769502.tif 000007
【図７】
0003769502.tif 000008
【図８】
0003769502.tif 000009
【図９】
0003769502.tif 000010
【図１０】
0003769502.tif 000011
【図１１】
0003769502.tif 000012
【図１２】
0003769502.tif 000013
【図１３】
0003769502.tif 000014
【図１４】
0003769502.tif 000015
【図１５】
0003769502.tif 000016